【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、
前記通路部材の取込通路には、硬貨の通過を検出する硬貨通過検出器が配備されて成る硬貨振分処理装置。
【請求項２】
硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、
前記シャッタ機構には、返却通路の開路指令のない状態での返却通路の開路動作を検出する不正検出器が設けられて成る硬貨振分処理装置。
【請求項３】
硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、
前記通路部材の取込通路には、硬貨の通過を検出する硬貨通過検出器が配備されると共に、前記シャッタ機構には、返却通路の開路指令のない状態での返却通路の開路動作を検出する不正検出器が設けられて成る硬貨振分処理装置。
【請求項４】
請求項１または３に記載された硬貨振分処理装置を備えており、この硬貨振分処理装置の硬貨通過検出器が所定枚数の硬貨の通過を検出したとき、その硬貨の金額に相応する金額価値のプリペイドカードを発行するようにしたプリペイドカード発行機。
【請求項５】
請求項１または３に記載された硬貨振分処理装置を備えており、この硬貨振分処理装置の硬貨通過検出器が所定枚数の硬貨の通過を検出したとき、その硬貨の金額に相応する個数の遊技媒体を貸し出すようにした遊技媒体貸出機。
【請求項６】
請求項１または３に記載された硬貨振分処理装置を備えており、この硬貨振分処理装置の硬貨通過検出器が所定枚数の硬貨の通過を検出したとき、その硬貨の金額に相応する金額価値のプリペイドカードを発行し、さらに発行されたプリペイドカードが投入されたとき、そのプリペイドカードの金額価値に相応する個数の遊技媒体を貸し出すようにした遊技媒体貸出機。
【手続補正２】
【補正対象書類名】明細書
【補正対象項目名】００１１
【補正方法】変更
【補正の内容】
【００１１】
【課題を解決するための手段】
請求項１の発明にかかる硬貨振分処理装置は、硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、前記通路部材の取込通路には、硬貨の通過を検出する硬貨通過検出器が配備されて成る。
【手続補正３】
【補正対象書類名】明細書
【補正対象項目名】００１２
【補正方法】変更
【補正の内容】
【００１２】
請求項２の発明にかかる硬貨振分処理装置は、硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、前記シャッタ機構には、返却通路の開路指令のない状態での返却通路の開路動作を検出する不正検出器が設けられて成る。
【手続補正４】
【補正対象書類名】明細書
【補正対象項目名】００１３
【補正方法】変更
【補正の内容】
【００１３】
請求項３の発明にかかる硬貨振分処理装置は、硬貨の投入を受け付けるための硬貨投入口と、投入された硬貨の返却を行うための硬貨返却口と、前記硬貨投入口より投入された硬貨の適否を判別する判別器と、前記判別器による判別後の硬貨を内部または前記硬貨返却口へ導く通路部材とを備え、前記通路部材には、前記判別器で適正判別された硬貨を内部へ導く取込通路と、返却要求のあった前記投入硬貨を前記硬貨返却口へ返却する返却通路と、取込通路および返却通路を開閉するシャッタ機構が配備されており、前記通路部材の取込通路には、硬貨の通過を検出する硬貨通過検出器が配備されると共に、前記シャッタ機構には、返却通路の開路指令のない状態での返却通路の開路動作を検出する不正検出器が設けられて成る。
【手続補正５】
【補正対象書類名】明細書
【補正対象項目名】００３３
【補正方法】変更
【補正の内容】
【００３３】
前記電磁ソレノイド４３は、通電により前記可動片３６を磁気的に吸着し、シャッタ部３７を開動作させる。
前記復帰ばね３５は、電磁ソレノイド３４への通電が遮断されたとき、前記可動片をばね力で復帰動作させ、シャッタ部３７を閉動作させる。
【手続補正６】
【補正対象書類名】明細書
【補正対象項目名】００３４
【補正方法】変更
【補正の内容】
【００３４】
返却通路２１の側の電磁シャッタ３１の可動片３６は、シャッタ部３７と反対側に延びる延出部４１を備えている。この延出部４１の先端には、不正検出器４０を構成する第２のシャッタ部４２が屈曲形成される。
不正検出器４０は、硬貨返却口６から薄い板状物を挿入する、という遊技者による不正行為を検出するために設けられたものであり、返却通路２１の開路指令のない状態、すなわち前記シャッタ部３７が返却通路２１を閉じている状態で、電磁シャッタ３１が返却通路２１を開路する動作を行ったとき、これを検出する。
この実施例では、不正検出器４０により不正行為を検出したとき、図５に示す警報器５５を作動させているが、これに限らず、機械の稼働を停止させるようにしてもよい。
【手続補正７】
【補正対象書類名】明細書
【補正対象項目名】００３５
【補正方法】変更
【補正の内容】
【００３５】
第２のシャッタ部４２は、電磁ソレノイド３４への通電により可動片３６が吸着されて前記シャッタ部３７が開動作したとき、光電センサ４３の光路を遮断する。また電磁ソレノイド３４への通電の遮断により可動片３６が復帰してシャッタ部３７が閉動作したとき、光電センサ４３の光路を開放する。
【手続補正８】
【補正対象書類名】明細書
【補正対象項目名】００３９
【補正方法】変更
【補正の内容】
【００３９】
前記カード発行機１５は、１０００円相当のプリペイドカードを発行してカード発行兼投入口７へ送り出す機能、カード投入釦スイッチ５の操作に応答してカード発行兼投入口７よりプリペイドカードを取り込む機能を具備する。
【手続補正９】
【補正対象書類名】明細書
【補正対象項目名】００４７
【補正方法】変更
【補正の内容】
【００４７】
もし、２枚目の硬貨が硬貨投入口３へ投入されると、ＳＴ８の判定が「ＹＥＳ」となり、ＳＴ２へ戻って、硬貨の判別処理が行われる。
投入された硬貨が適正な５００円硬貨であると判別されたとき、ＳＴ２の判定が「ＹＥＳ」となり、適正な５００円硬貨は適正出口１４Ａへ導かれて第２の通路部材１２へ送られる（ＳＴ４）。そして前記カウンタの計数値ｎは１インクリメントされて「２」となる（ＳＴ５）。
計数値ｎが「２」になると、ＳＴ６の判定は「ＹＥＳ」となり、ＣＰＵ５１は不正検出器４０の出力をチェックし、遊技者による不正行為の有無を判別する（ＳＴ１３）。
もし不正行為がある場合は、ＳＴ１３の判定は「ＹＥＳ」となり、ＣＰＵ５１は警報器５５を作動させて警報音を発生させる（ＳＴ１０）。